(57)【特許請求の範囲】
【請求項１】
紙葉類を分類、整理した後、結束する紙葉類処理装置において、
少なくとも左右の側板を有する筐体と、
上記筐体に対して出没自在なユニットと、
上記ユニットの右側に取り付けられている右側の摺動機構と、
上記ユニットの左側に取り付けられている左側の摺動機構と、
上記右の側板に設けられた凹みを有する第１の右取っ手部と、
上記左の側板に設けられた凹みを有する第１の左取っ手部とを有し、
上記第１の右取っ手部を、上記右側の摺動機構と上下方向について同じ位置に配置し、上記第１の左取っ手部を、上記左側の摺動機構と上下方向について同じ位置に配置したことを特徴とする紙葉類処理装置。
【請求項２】
上記右の側板の内面と上記右側の摺動機構に挟まれて取り付けられている右側の取り付け部材と、
上記左の側板の内面と上記左側の摺動機構に挟まれて取り付けられている左側の取り付け部材とを有する
ことを特徴とする請求項１に記載の紙葉類処理装置。
【請求項３】
上記右側の取り付け部材は、凹条を有する平板状の部材であり、平板部が上記右の側板の内面と上記右側の摺動機構に挟まれて取り付けられており、
上記左側の取り付け部材は、凹条を有する平板状の部材であり、平板部が上記左の側板の内面と上記左側の摺動機構に挟まれて取り付けられている
ことを特徴とする請求項２に記載の紙葉類処理装置。
【請求項４】
上記第１の右取っ手部の凹みは、上記右側の取り付け部材の凹条の内部空間に入り込むように位置し、
上記第１の左取っ手部の凹みは、上記左側の取り付け部材の凹条の内部空間に入り込むように位置している
ことを特徴とする請求項３に記載の紙葉類処理装置。
【請求項５】
上記右側の摺動機構及び上記左側の摺動機構がそれぞれ、複数の摺動部材から構成されていることを特徴とする請求項３又は請求項４に記載の紙葉類処理装置。
【請求項６】
上記第１の右取っ手部を、上記右側の摺動機構における基端の摺動部材と上下方向について同じ位置に配置し、
上記第１の左取っ手部を、上記左側の摺動機構における基端の摺動部材と上下方向について同じ位置に配置した
ことを特徴とする請求項５に記載の紙葉類処理装置。
【請求項７】
上記第１の右取っ手部を、上記右の側板の下からの半分より上の位置に配置し、
上記第１の左取っ手部は、上記左の側板の下からの半分より上の位置に配置した
ことを特徴とする請求項１〜請求項６のいずれかに記載の紙葉類処理装置。
【請求項８】
上記第１の右取っ手部及び上記第１の左取っ手部を、上記筐体の前面寄りの位置に配置したことを特徴とする請求項１〜請求項７のいずれかに記載の紙葉類処理装置。
【請求項９】
第２の右取っ手部及び第２の左取っ手部をさらに有し、
上記第２の右取っ手部を、上記第１の右取っ手部の長手方向の延長上で上下方向について同じ位置に配置し、
上記第２の左取っ手部を、上記第１の左取っ手部の長手方向の延長上で上下方向について同じ位置に配置した
ことを特徴とする請求項１〜請求項８のいずれかに記載の紙葉類処理装置。
【発明の詳細な説明】
【技術分野】
【０００１】
本発明は紙葉類処理装置に関し、例えば、紙幣を金種別などに分類して計数し、計数した分類紙幣をそれぞれ一時集積部に集積し、一定枚数毎に結束して整理する紙幣処理装置に適用し得るものである。
【背景技術】
【０００２】
金融機関の本支店や大型小売店等の１日に多くの紙幣を取り扱う店舗において、紙幣処理装置が導入され、精査時等に回収した紙幣を一定枚数毎に束ねて整理することが行われている。また、複数の本支店や小売店から紙幣を回収するセンタにおいて、紙幣処理装置が導入され、各店舗から回収した紙幣を一定枚数毎に束ねて整理することが行われている。
【０００３】
従来の紙幣処理装置において、投入部にセットされた多数枚の紙幣は、１枚ずつ鑑別部に搬送されて、金種や、正券又は損券等の鑑別が実行され、金種や正券又は損券などのオペレータによる予めの指定に基づいて、複数の一時集積部に分別されて集積され、集積枚数が所定枚数に達すると、その所定枚数の紙幣が紙テープ等の結束材により束ねられて放出される（特許文献１、特許文献２参照）。
【先行技術文献】
【特許文献】
【０００４】
【特許文献１】特開２０１１−１１３１５２号公報
【特許文献２】特開２００２−１９７５０９号公報
【発明の概要】
【発明が解決しようとする課題】
【０００５】
ところで、紙幣処理装置は、装置内部に紙幣を取込む周期は１秒より短く、設置された支店などによっては、紙幣処理装置の１日当たりの稼働時間も長い。このような場合、紙幣の搬送などで生じて装置内部に溜まる紙粉の量は多く、頻繁に紙粉を取り除く必要があり、装置内部のクリーニング作業が頻繁に行われる（例えば１日１回）。
【０００６】
紙幣処理装置は、多くの機構で構成されている非常に重い装置であるため（例えば、１３５Ｋｇ程度）、固定設置を前提としている装置である。しかしながら、実際、紙幣処理装置内部をクリーニングする際には、クリーニングに適した場所に移動してから紙粉を除去することも行われている。
【０００７】
紙幣処理装置は、固定設置を前提としている装置であるため、従来においては、移動時に手を掛けるための取っ手は設けられていない。そのような状況で、非常に重い紙幣処理装置を移動させようとした場合、本来は移動時用の取っ手として設けられていない凸部や凹部に手を掛けて移動するため装置の一部を破損させることも生じていた。
【０００８】
仮に、紙幣処理装置に取っ手を設けたとしても、上述したように非常に重い固定設置を前提としている紙幣処理装置を移動させる場合には、取っ手の周辺に大きな力が働いて取っ手周辺を破損させる恐れがある。
【０００９】
そのため、人手による装置の移動を繰り返したとしても、手を掛けた部分の近傍を破損させるようなことを防止できる紙葉類処理装置が望まれている。
【課題を解決するための手段】
【００１０】
かかる課題を解決するため、本発明は、紙葉類を分類、整理した後、結束する紙葉類処理装置において、（１）少なくとも左右の側板を有する筐体と、（２）上記筐体に対して出没自在なユニットと、（３）上記ユニットの右側に取り付けられている右側の摺動機構と、（４）上記ユニットの左側に取り付けられている左側の摺動機構と、（５）上記右の側板に設けられた凹みを有する第１の右取っ手部と、（６）上記左の側板に設けられた凹みを有する第１の左取っ手部とを有し、（７）上記第１の右取っ手部を、上記右側の摺動機構と上下方向について同じ位置に配置し、（８）上記第１の左取っ手部を、上記左側の摺動機構と上下方向について同じ位置に配置したことを特徴とする。
【発明の効果】
【００１１】
本発明の紙葉類処理装置によれば、内部ユニットを出没させる左右の摺動部材と上下方向について同じ位置に左右の取っ手部を設けたので、人手による装置の移動を繰り返したとしても、手を掛けた部分の近傍を破損させるようなことを防止できる。
【図面の簡単な説明】
【００１２】
【図１】実施形態の紙幣処理装置の内部構造を示す概略側面図（一方の側板を取り外して見た概略側面図）である。
【図２】図１における上部構造を拡大して示す拡大側面図である。
【図３】実施形態に係る紙幣処理装置の外観を示す斜視図である。
【図４】実施形態の紙幣処理装置における操作部を拡大して示す平面図である。
【図５】実施形態の紙幣処理装置における集積機構の詳細を示す側面図である。
【図６】実施形態の紙幣処理装置における紙幣結束機構の詳細を示す側面図である。
【図７】実施形態に係る紙幣処理装置の制御系の構成を示すブロック図である。
【図８】実施形態に係る紙幣処理装置のＡ−Ａ線で切断した場合の概略断面図である。
【図９】実施形態に係る紙幣処理装置の、右の取っ手部を通らない位置での右の側板及び取り付け部材の断面図である。
【図１０】実施形態の紙幣処理装置におけるテレスコピックレールの構成を説明する斜視図である。
【図１１】変形実施形態に係る紙幣処理装置の外観を示す斜視図である。
【発明を実施するための形態】
【００１３】
（Ａ）主たる実施形態
以下、本発明による紙葉類処理装置を、紙幣処理装置に適用した一実施形態を、図面を参照しながら説明する。
【００１４】
図１は、実施形態に係る紙幣処理装置の内部構造を示す概略側面図（一方の側板を取り外して見た側面図）である。図２は、図１における上部構造を拡大して示す拡大側面図である。図３は、実施形態に係る紙幣処理装置の外観を示す斜視図である。図４は、図３における操作部を拡大して示す平面図である。図１〜図４だけでなく後述する各図を含め、同一、対応部分には、同一、対応符号を付して示している。
【００１５】
実施形態に係る紙幣処理装置１００の正面上部には、紙幣の投入部１が設けられている。鑑別部２は、装置内に設けられており、投入部１から投入された紙幣の真偽（真券、偽券）、金種、正損（正券、損券）、表裏等の鑑別や計数を行うと共に、搬送異常の検出を行うものである。なお、鑑別部２が全ての鑑別処理を実行するものを示したが、鑑別処理の一部を外部接続された装置（例えばパソコン）が行うものであっても良い。表裏反転部４は、鑑別部２の後段に位置するように設けられており、後述する制御部５０の制御下で、紙幣の表裏反転を行うものである。
【００１６】
オープンポケット５は、装置の上面に１又は複数設けられており、後述する制御部５０の制御下で、そのときの動作モードやオペレータの指定などで定まる紙幣がこのオープンポケット５へ排出される。リジェクトポケット（リジェクト部）８は、鑑別部２でリジェクト紙幣と鑑別された紙幣を集積するものである。リジェクトポケット８は、例えば、投入部１の上方に設けられており、このリジェクトポケット８に集積された紙幣にオペレータが直接アクセスできるものとなっている。
【００１７】
操作部７は、投入部１の一側に設けられている。この操作部７には、紙幣の計数を指示する計数開始ボタン７ａ、計数及び結束処理の完了を指示する完了ボタン７ｂ、装置の障害復旧時に装置を再稼働させるためのリセットボタン７ｃなどが設けられている。
【００１８】
操作表示部１３は、装置上面においてオープンポケット５の後方に位置するように設けられている。オペレータは、この操作表示部１３を操作して、モードの指定や、後述する一時集積部６ａ〜６ｄに集積する紙幣の金種、集積順序等を設定できるようになされている。また、この操作表示部１３には、後述する制御部５０の制御下で、鑑別部２で鑑別された紙幣の金種、正損、計数結果等が表示される。
【００１９】
集積機構６には、上下方向に１列に４つ（なお、４つに限定されるものではない）の一時集積部６ａ〜６ｄが並べられて装置内に設けられている。各一時集積部６ａ〜６ｄにはそれぞれ、後述する制御部５０の制御下で、予め定められた枚数（例えば１００枚）を上限とした指定種類の紙幣が集積できるようになっている。
【００２０】
移送機構９は、一時集積部６ａ〜６ｄの集積紙幣を紙幣結束機構１０に移送するものであり、紙幣結束機構１０は、移送されてきた結束対象紙幣を紙テープ等の結束材により束ねるものであり、両者とも紙幣処理装置１００の内部に設けられている。紙幣束放出口１１は、紙幣結束機構１０の結束により形成された紙幣束を放出させる開口であり、通常時は、紙幣束放出扉１４によって閉塞されている。紙幣束放出扉１４の上部の装置正面に設けられた扉１２は、開けることでオペレータが集積機構６にアクセスできるものとなっている。
【００２１】
次に、搬送路３について詳述する。搬送路３は、ローラや搬送ベルトや通過を検知するセンサ、駆動モータ等からなっているが、以下では、紙幣の経路という面から搬送路３を説明する。搬送路３は、図２に示すように、大きくは５つの部分（以下、部分に対しても搬送路と呼ぶこととする）３ａ〜３ｅに分かれている。
【００２２】
搬送路３ａは、投入部１から鑑別部２を経て分岐点Ａに至る部分である。従って、投入された全ての紙幣が、搬送路３ａ上を搬送される。搬送路３ｂは、分岐点Ａからリジェクトポケット８に至る部分である。従って、鑑別結果が、リジェクトポケット８に集積させるリジェクト紙幣が、搬送路３ｂ上を搬送される。搬送路３ｃは、分岐点Ａから分岐点Ｂに至る部分であり、その途中に表裏反転部４が設けられており、搬送路３ｃは、表裏反転部４を通過しないように紙幣を搬送することもできる。表裏反転部４は溝状のものであり、搬送されてきた紙片は、表裏反転部４に一端から挿入され、他端から引き出されることを通じて表裏が反転される。投入された紙幣のうち、リジェクトポケット８に向かった紙幣以外の紙幣が、搬送路３ｃ上を搬送される。搬送路３ｃ上に導入された紙幣のうち、表裏反転が必要と鑑別されたものは、表裏反転部４を経由する。搬送路３ｄは、分岐点Ｂから、最下段の一時集積部６ｄに至る部分である（図１参照）。鑑別部２によって、集積、結束対象と鑑別された紙幣が、搬送路３ｄ上を搬送され、その紙幣が集積されるべき一時集積部６ａ〜６ｄに搬入される。搬送路３ｅは、分岐点Ｂからオープンポケット５に至る部分である。従って、鑑別結果が、オープンポケット５に集積させる紙幣である場合に、その紙幣が搬送路３ｅ上を搬送される。
【００２３】
なお、分岐点Ａ、Ｂのそれぞれの近傍には、紙幣の搬送方向を切替える図示しない切替えブレードが設けられている。
【００２４】
図５は、集積機構６の構成を図１より詳細に示す側面図である。一時集積部６ａ〜６ｄは同一の構造を有しているので、以下では、一時集積部６ａを例にとって説明する。
【００２５】
搬送路３ｄにより搬送されてきた紙幣は、一時集積部６ａの振り分けゲート２７により集積板２１に向かって取り込まれ、これにより一時集積部６ａに進入した紙幣は羽根車２０により後部が叩かれて集積板２１の上に集積される。
【００２６】
一時集積部６ａに進入した紙幣は、一時集積部６ａの一側（例えば、図５紙面法線方向の手前側）に設けられた図示しない長手整位機構により、紙幣の長手方向の位置が揃えられ、一時集積部６ａの後端側に設けられた短手整位機構２３により短手方向の位置が揃えられる。
【００２７】
集積板２１の上方には押さえ板２４が対向するように設けられ、この押さえ板２４は集積板２１上への紙幣の集積中は一時集積部６ａの上端に待機しており、順次取り込まれる紙幣の進入の邪魔にならないようになっている。
【００２８】
一時集積部６ａの集積板２１上に予め定められた所定枚数（例えば１００枚）の紙幣が集積されると、ゲート振り分け機構２７を、紙幣を取り込まない姿勢に動作させ、所定枚数目以降の紙幣は、例えば、他の一時集積部６ｂ〜６ｄのいずれかへ集積するように制御される。
【００２９】
紙幣の進入が停止した一時集積部６ａでは集積板２１を上昇させ、押さえ板２４を下降させることにより紙幣を挟持する。この動作により皺等の紙幣の状態によって集積高さの異なる紙幣の厚みを一定にし、移送機構９への受渡しを容易にするようになっている。集積板２１と押さえ板２４により挟持された紙幣は、移送機構９の紙幣クランプ部３０（図１参照）が短手整位機構２３側から一時集積部６ａに進入して引き抜かれるようになっている。
【００３０】
移送機構９は、図１に示すように、紙幣クランプ部３０、クランプ部移動機構３１、上下動機構３２を備えている。一時集積部６ａに集積された紙幣を引き抜く場合を例に、移送機構９の一連の動きを説明して構成を明らかにする。
【００３１】
上下動機構３２により紙幣クランプ部３０をクランプ部移動機構３１と共に、一時集積部６ａに係るポジションセンサの位置まで上昇させ、ポジションセンサがクランプ部移動機構３１を検知した位置で上昇を停止させると同時に、クランプ部移動機構３１を一時集積部６ａと対応する位置に固定する。この状態でクランプ移動機構３１により紙幣クランプ部３０のクランプ爪３３ａ、３３ｂを上下方向に開いて集積紙幣をクランプする準備を行い、クランプ移動機構３１により紙幣クランプ部３０を一時集積部６ａの方向に押し出す。押し出された紙幣クランプ機構３０のクランプ爪３３ａ、３３ｂは、一時集積部６ａの短手整位機構２３側に設けられている開口部に挿入され、集積板２１と押さえ板２４により挟持されている集積紙幣を上下から挟みつけて把持する。次に、集積板２１と押さえ板２４を開くことで、両者による集積紙幣の挟持を解除することにより、１００枚の紙幣が紙幣クランプ部３０に渡され、クランプ爪３３ａ、３３ｂで集積紙幣を把持した紙幣クランプ部３０をクランプ部移動機構３１により引き戻す。紙幣クランプ部３０が元の位置まで引き戻されると、クランプ部移動機構３１の固定が解除され、紙幣を把持した紙幣クランプ部３０と共にクランプ移動機構３１が上下動機構３２により移動経路の最下端に位置する紙幣結束機構１０まで移動し、紙幣クランプ部３０のクランプ爪３３ａ、３３ｂに把持された集積紙幣が紙幣結束機構１０に引き渡される。
【００３２】
紙幣結束機構１０は、図６の側面図に示すように、上下の横方向のベルト、縦方向のベルト、各ベルトを走行させるために複数のローラ等からなる搬送手段４０と、紙テープ等の結束用テープ４１と、印刷手段４２と、テープ４１を供給するテープ供給手段４３と、テープ４１を所定の長さに切断するカッタ４４と、図示しない結束手段を有し、以下のように紙幣を結束する。
【００３３】
搬送手段４０が移送機構９の紙幣クランプ部３０から結束対象紙幣を一括して受け取り、結束位置に搬送する。テープ供給手段４３は、テープ４１を結束手段に供給し、その際、印刷手段４２は、制御部５０の制御下で、テープ４１に結束する紙幣に係る情報等を印刷する。印刷されたテープ４１は、所定の長さにカッタ４４で切断され、この切断されたテープを、結束手段が結束位置に搬送された結束対象紙幣に巻き掛けて結束することにより紙幣束を作る。形成された紙幣束は、搬送手段４０により搬送され、紙幣束放出扉１４を押し開けて紙幣束放出口１１から外部へ放出される。
【００３４】
投入部１にセットされた紙幣が全て投入され、最後の紙幣に対する処理（計数、集積）が終了したときに、一時集積部６ａ〜６ｂに結束されていない紙幣が残っていることが多い。このような残った端数の枚数については、上述した扉１２を開けることにより、オペレータが取り出し可能となっている。
【００３５】
図７は、実施形態に係る紙幣処理装置１００の制御系の構成を示すブロック図である。
【００３６】
図７において、制御部５０は、例えば、主にマイクロコンピュータなどで構成されており、当該紙幣処理装置１００全体の動作制御を行うものである。メモリ部５１は、例えば、プログラムメモリやワーキングメモリや設定データメモリを有する。制御部５０は、プログラムメモリに格納されているプログラムや設定データメモリに設定されているデータに従い、ワーキングメモリを、情報を一時的に記憶するメモリとして用いながら、各部を制御する。また、メモリ部５１は、投入紙幣から得た分類集計結果を記憶するものである。
【００３７】
制御部５０には、Ｉ／Ｏインタフェース回路５２を介して、投入部１の構成要素（モータ、ソレノイドなどの駆動要素や、センサ要素など；図７では「構成要素」の用語を省略している；以下の説明においても「構成要素」の用語を省略する）、鑑別部２、搬送路３、表裏反転部４、集積機構６、操作部７、移送機構９、紙幣結束機構１０、操作表示部１３、カウンタ５２ａ〜５２ｄなどが接続されている。
【００３８】
カウンタ５２ａ〜５２ｄはそれぞれ、一時集積部６ａ〜６ｄに１対１で対応しており、例えば、対応する一時集積部６ａ〜６ｄの所定位置に設けられているセンサが進入紙幣を検知する毎にカウントアップするものである。
【００３９】
次に、上述した構成を有する紙幣処理装置１００の動作について説明する。
【００４０】
紙幣処理装置１００の電源が投入されると、制御部５０は、操作表示部１３に初期画面を表示させ、オペレータは、この初期画面に表示されているモード選択肢を指で押下して入金モード又は整理モードを選択する。入金モードは、投入された紙幣の入金取引を行って紙幣を計数し、取引の番号毎、指定した区分毎等に分類集計した結果をメモリ部５１に記憶するモードであり、また、整理モードは、分類集計結果をメモリ部５１に記憶しないモードしている。
【００４１】
次に、選択された入金モード又は整理モードにおけるより詳細な動作モードを選択する。詳細動作モードには、単に紙幣の計数のみを行う計数モード、指定した金種の紙幣を正券、損券を区別することなく結束する指定金種結束モード、指定した金種の紙幣を分類しながら正券であるＡＴＭフィット券（官封券の状態からの使用頻度が少ない状態の券）と流通券（ＡＴＭに用いるには適さないが紙幣発行銀行に返却するほどは傷んでいない状態の券）とを区別して結束する正券分類結束モード、指定した金種の紙幣を分類しながらＡＴＭフィット券と流通券と損券とをそれぞれ区別して結束する正損券分類結束モードなどがあり、オペレータは、操作表示部１３に表示された詳細動作モードの選択画面から、その中から１つを選択する。
【００４２】
計数モードが選択されたときは、制御部５０は、リジェクトポケット８へ偽券を排出させるか否かを指定した上で動作開始の指示をオペレータに求める画面を操作表示部１３に表示させ、リジェクトポケット８へ偽券を排出させるか否かが指定された上で、操作部７の計数開始ボタン７ａがオペレータによって操作されたときに、計数モードでの動作を開始する。
【００４３】
計数モードにおいては、投入部１にセットされた紙幣が鑑別部２に搬送され、金種鑑別及び計数が実行される。そして、偽券をリジェクトポケット８に排出することがオペレータによって選択されていない場合には、全ての投入紙幣をオープンポケット５に排出させ、一方、偽券をリジェクトポケット８に排出することがオペレータによって選択されている場合には、偽券以外の紙幣をオープンポケット５に排出させ、偽券をリジェクトポケット８に排出させる。
【００４４】
指定金種結束モード、正券分類結束モード、正損券分類結束モードなどにおいては、制御部５０が、指定された金種や経時変化状態などに応じて一時集積部６ａ〜６ｄに集積させる金種や経時変化状態を自動的に定めることもあり、また、オペレータが、一時集積部６ａ〜６ｄに対して、個別に、集積させる金種や経時変化状態を指定することもできる。
【００４５】
制御部５０は、一時集積部６ａ〜６ｄに集積させる紙幣情報を記憶させた後、オープンポケット５及びリジェクトポケット８への集積、結束対象外の紙幣の排出方法をオペレータに指示させる画面を操作表示部１３に表示させ、オペレータによって排出方法を指示させる。
【００４６】
集積、結束対象外の紙幣の排出方法を指定した後に、オペレータは、紙幣を投入部１にセットし、操作部７の計数開始ボタン７ａを操作して、計数及び集積、結束動作を開始させる。これにより、投入部１から１枚ずつ紙幣が分離されて搬送路３ａにより鑑別部２に搬送され、鑑別部２で、鑑別と計数、搬送異常の有無の検出が行われる。鑑別部２の結果が与えられた制御部５０は、その紙幣が集積機構６に集積させるものであれば、搬送路３ｃにより表裏反転部４に搬送され、この表裏反転部４によって表裏が揃えられた後、搬送路３ｄにより集積機構６に搬送されて一時集積部６ａ〜６ｄに集積される。鑑別部２の結果が与えられた制御部５０は、その紙幣が集積対象外であれば、その紙幣をオープンポケット５又はリジェクトポケット８に搬送させる。
【００４７】
搬送路３ｄにより集積機構６に搬送されてきた紙幣は、該当する一時集積部６ａ〜６ｄの振り分けゲート（２７）により集積板（２１）に向かって取り込まれ、集積板の上に集積される。一時集積部６ａ〜６ｄの集積板上に予め定められた所定枚数の紙幣が集積されると、ゲート振り分け機構を、紙幣を取り込まない姿勢に動作させた後、集積板を上昇させ、押さえ板（２４）を下降させることにより紙幣を挟持する。集積板と押さえ板により挟持された紙幣は、移送機構９の紙幣クランプ部３０が短手整位機構２３側から一時集積部６ａ〜６ｄに進入して引き抜かれる。集積紙幣を把持した紙幣クランプ部３０と共にクランプ移動機構３１が上下動機構３２により移動経路の最下端に位置する紙幣結束機構１０まで移動し、紙幣クランプ部３０のクランプ爪３３ａ、３３ｂに把持された集積紙幣（結束対象紙幣）が紙幣結束機構１０に引き渡される。
【００４８】
搬送手段４０が紙幣クランプ部３０から結束対象紙幣を一括して受け取り、結束位置に搬送する。テープ供給手段４３は、テープ４１を結束手段に供給し、その際、印刷手段４２は、制御部５０の制御下で、テープ４１に結束する紙幣に係る情報等を印刷する。印刷されたテープ４１は、所定の長さにカッタ４４で切断され、この切断されたテープを、結束手段が結束位置に搬送された結束対象紙幣に巻き掛けて結束することにより紙幣束を作る。形成された紙幣束は、紙幣束放出扉１４を押し開けて紙幣束放出口１１から外部へ放出される。
【００４９】
以上のような構成を有し、以上のような動作を行う、実施形態の紙幣処理装置１００は、図３に示すように、当該紙幣処理装置１００の全体を移動させる際に、オペレータが手を掛けることができる左右の取っ手部１５Ｒ、１５Ｌを設けたことを特徴の一つとしている。
【００５０】
右の取っ手部１５Ｒは、右の側板１６Ｒの半分程度の高さで当該紙幣処理装置１００の装置前面寄りに設けられ、左の取っ手部１５Ｌは、左の側板１６Ｌ（図３では隠れて見えない；図８参照）の半分程度の高さで当該紙幣処理装置１００の装置前面寄りに設けられている。この実施形態では、右の取っ手部１５Ｒ及び左の取っ手部１５Ｌは、右の側板１６Ｒ及び左の側板１６Ｌの下から半分の位置よりも上の位置の高さに設けられている。取っ手部１５Ｒ及び１５Ｌは、側板１６Ｒ、１６Ｌから装置内方へ向かう凹部として形成されている。
【００５１】
図８は、図３に示すＡ−Ａ線で切断した場合の概略縦断面図である。
【００５２】
装置内部の保守点検のため、投入部１、鑑別部２、搬送路３、表裏反転部４、集積機構６、操作部７、移送機構９及び紙幣結束機構１０の部分がユニット６０として構成され、このユニット６０を筐体６１から前後方向に出没可能としている。筐体６１は、左右の側板１６Ｒ、１６Ｌ、装置後面の側板１６Ｂ（図３参照）からなり、側板１６Ｒ、１６Ｌ、１６Ｂ、操作表示部１３は当該紙幣処理装置１００の奥側の上部に設けられ、ユニット６０とは別の要素となっている。装置前面の側板１６Ｆ（図３参照）や側板１６Ｆに設けられている要素、天板１６Ｕ（図３も参照）や天板１６Ｕに設けられている要素、底板１６Ｄや底板１６Ｄに設けられている要素などは、ユニット６０の要素になっている。底板１６Ｄの外面には、ユニット６０の出没を容易にするためのキャスタ６４が設けられている。
【００５３】
ユニット６０の筐体６１からの出没動を滑らかにするために、スライドレール（摺動機構）の１種であるテレスコピックレール６２Ｒ、６２Ｌが設けられている。筐体６１には、テレスコピックレール６２Ｒ、６２Ｌを取り付けるための取り付け部材６３Ｒ、６３Ｌが、接着、溶接などによって強固に設けられている。
【００５４】
取り付け部材６３Ｒ、６３Ｌはそれぞれ、断面逆コ字状若しくはコ字状の凹条６３Ｒａ、６３Ｌａを有する平板状のものであり、その平板部が側板１６Ｒ、１６Ｌの内面に接している。また、凹条６３Ｒａ、６３Ｌａが前後方向に延びるように筐体６１に設けられている。取り付け部材６３Ｒ、６３Ｌはそれぞれ、装置内部に向かって断面逆コ字状若しくはコ字状の凹条６３Ｒａ、６３Ｌａを有する。
【００５５】
図９は、取っ手部１５Ｒを通らない位置での側板１６Ｒ及び取り付け部材６３Ｒの断面図である。凹条の外側にテレスコピックレール６２Ｒを取り付ける場合、凹条の内側からビスなどを用いて取り付ける。取り付け部材６３Ｒを介さずに、テレスコピックレール６２Ｒを側板１６Ｒに直接取り付けた場合には（本発明の実施形態の１つを構成しているが）、以下のような欠点が生じる。第１に、テレスコピックレール６２Ｒを取り付けるためのビスの頭などが側板６２Ｒの外面に出て、紙幣処理装置１００の外観を損なう。第２に、ユニット６０の出没移動時におけるスライド方向以外の外力を、取り付け部材６３Ｒの凹条６３Ｒａが緩和することができるが、テレスコピックレール６２Ｒを側板１６Ｒに直接取り付けた場合には、スライド方向以外の外力が側板１６Ｒに直接印加されてしまう。因みに、取り付け部材６３Ｒは、側板１６Ｒに対する補強部材としても機能する。第３に、取り付け部材６３Ｒの凹条６３Ｒａの外側の上面でもユニット６０の荷重を受け、キャスタ６１にかかる荷重を軽減することができるが、テレスコピックレール６２Ｒを側板１６Ｒに直接取り付けた場合には、ユニット６０の荷重が全てキャスタ６１にかかり、故障を引き起こす可能性がある。そのため、この実施形態では、凹条６３Ｒａを有する取り付け部材６３Ｒを側板１６Ｒに取り付けることとしている。
【００５６】
図１０は、テレスコピックレール６２Ｒ、６２Ｌの構成を説明する斜視図であり、右側のテレスコピックレール６２Ｒを例として示している。
【００５７】
テレスコピックレール６２Ｒは、摺動可能とする部材として、第１〜第３の摺動部材７０Ｒ〜７２Ｒを有する。第１の摺動部材７０Ｒは、取り付け部材６３Ｒの凹条６３Ｒａの外側の側面に対してビス止めされている。第１の摺動部材７０Ｒは、ほぼ断面コ字状のレールとなっている。第２の摺動部材７１Ｒは、第１の摺動部材７０Ｒのコ字状の内面に外面が接するような外形形状をしており、第１の摺動部材７０Ｒを受け部材として、相対的に摺動し得るものである。第２の摺動部材７１Ｒは、ほぼ断面コ字状のレールとなっている。第３の摺動部材７２Ｒは、第２の摺動部材７１Ｒのコ字状の内面に外面が接するような外形形状をしており、第２の摺動部材７１Ｒを受け部材として、相対的に摺動し得るものである。第３の摺動部材７２Ｒは、断面矩形状の棒体若しくは筒体である。第３の摺動部材７２Ｒは、そのユニット６０側の面で、接着やビス止めなどによって、ユニット６０に固着されている。
【００５８】
ユニット６０が筐体６１に収納されている状態から、ユニット６０を前方向に引き出すと、ユニット６０に設けられている第３の摺動部材７２Ｒ、７２Ｌ（左側の要素を図示していないが、符号末尾を「Ｌ」にすることで、右側要素に対応する左側要素であることを表す）が第２の摺動部材７１Ｒ、７１Ｌから引き出され、第３の摺動部材７２Ｒ、７２Ｌの引出量が所定量になると、第３の摺動部材７２Ｒ、７２Ｌに設けられている図示しないストッパが第２の摺動部材７１Ｒ、７１Ｌに当たって、第３の摺動部材７２Ｒ、７２Ｌが引き出されきった第２の摺動部材７１Ｒ、７１Ｌが、第１の摺動部材７０Ｒ、７０Ｌから引き出され、第２の摺動部材７１Ｒ、７１Ｌの図示しないストッパが第１の摺動部材７０Ｒ、７１０に当たるまで第２の摺動部材７１Ｒ、７１Ｌは引き出され、その結果、ユニット６０が筐体６１から引き出される。
【００５９】
上述したように、ユニット６０を筐体６１から引き出すためのテレスコピックレール６２Ｒ、６２Ｌを取り付ける取り付け部材６３Ｒ、６３Ｌは、凹条６３Ｒａ、６３Ｌａを有している。
【００６０】
紙幣処理装置１００の全体を移動する際に、オペレータが手を掛ける取っ手部１５Ｒ、１５Ｌは、取り付け部材６３Ｒ、６３Ｌの凹条６３Ｒａ、６３Ｌに合わせて設けられている。すなわち、取っ手部１５Ｒ、１５Ｌの凹みが凹条６３Ｒａ、６３Ｌの内部空間に入り込むように、取っ手部１５Ｒ、１５Ｌが設けられている。
【００６１】
上記実施形態の紙幣処理装置１００によれば、紙幣処理装置１００の全体を移動する際にオペレータが手を掛ける取っ手部１５Ｒ、１５Ｌを設けたので、移動させるために、オペレータが任意の箇所に手を掛けてその部分を破損させるようなことを防止することができる。
【００６２】
ここで、取っ手部１５Ｒ、１５Ｌは、側板１６Ｒ、１６Ｌの補強機能をも発揮する取り付け部材６３Ｒ、６３Ｌが取り付けられている近傍に設けられているので、取っ手部１５Ｒ、１５Ｌに手を掛けて紙幣処理装置１００の全体を移動させる際に、側板１６Ｒ、１６Ｌを破損させるようなことを防止することができる。
【００６３】
また、取っ手部１５Ｒ、１５Ｌは、取り付け部材６３Ｒ、６３Ｌの凹条６３Ｒａ、６３Ｌの内部空間に入り込むように設けられており、取り付け部材６３Ｒ、６３Ｌは、ユニット６０を筐体６１から出没させるテレスコピックレール６２Ｒ、６２Ｌを取り付けるための既存の部材であるため、取っ手部１５Ｒ、１５Ｌを設けるようにしても、他の部材の位置や構成を変更することを皆無とすることができる。若しくは、他の部分のごく一部の変更で取っ手部１５Ｒ、１５Ｌを設けることができる。
【００６４】
取り付け部材６３Ｒ、６３Ｌの凹条６３Ｒａ、６３Ｌの内部空間を利用するため、取っ手部１５Ｒ、１５Ｌを凹み形状のものとして実現している。側面から突出する把持可能な形状の取っ手部を設けた場合と比較すると、実施形態の取っ手部１５Ｒ、１５Ｌは、装置外の他の物体との衝突を防ぐことができる、装置美観を損なうことがない、などの効果を奏する。また、側面から突出する形状としていないので、装置を設置する際のスペースも少なくて済む。
【００６５】
テレスコピックレール６２Ｒ、６２Ｌは、ユニット６０の安定な出没を実現できるように、ユニット６０の高さの半分程度の高さに設けられ、取り付け部材６３Ｒ、６３Ｌの凹条６３Ｒａ、６３Ｌも、ユニット６０の高さの半分程度の高さに位置するので、凹条６３Ｒａ、６３Ｌに合わせて設けられた取っ手部１５Ｒ、１５Ｌは、オペレータが移動時に手を掛けるには好適な高さに位置し、移動作業時に、オペレータに無理な姿勢を強いることはなく、オペレータは移動を容易に行うことができる。
【００６６】
（Ｂ）他の実施形態
上記実施形態では、左右の側板に１対の取っ手部を設けたものを示したが、２対の取っ手部を設けるようにしても良い。例えば、図１１に示すように、側板の装置前面寄りに１対（左右の取っ手部１５Ｒ、１５Ｌ）を設けると共に、側板の装置後面寄りに他の１対（左右の取っ手部１７Ｒ、１７Ｌ）を設け、紙幣処理装置の移動方向に応じて、手を掛ける取っ手部を変えることができるようにしても良い。この場合、例えば、右側の装置後面寄りの取っ手部１７Ｒは、右側の装置前面寄りの取っ手部１５Ｒの長手方向の延長上（図１１の直線Ｂ参照）に位置させ、上下方向の位置（高さ）を同じにするようにする。同様に、左側の装置後面寄りの取っ手部１７Ｌは、左側の装置前面寄りの取っ手部１５Ｌの長手方向の延長上に位置させ、上下方向の位置（高さ）を同じにするようにする。
【００６７】
上記実施形態では、左右の側板の装置前面寄りに取っ手部を設けたものを示したが、オペレータが装置の手前側にいても手を掛けることができると共に、オペレータが装置の後ろ側にいても手を掛けることができる左右の側板の位置に取っ手部を設けるようにしても良い。
【００６８】
上記実施形態では、取っ手部１５Ｒ、１５Ｌを、取り付け部材６３Ｒ、６３Ｌの凹条６３Ｒａ、６３Ｌの内部空間に入り込むように設ける具体的な方法に言及しなかったが、設置方法は任意である。例えば、側板に透孔を穿設し、その透孔に取っ手部１５Ｒ、１５Ｌを嵌め込むようにしても良い。この場合において、凹条６３Ｒａ、６３Ｌの内部空間に、取っ手部１５Ｒ、１５Ｌの嵌入を積極的に受け入れる受け部材を設けるようにしても良い。
【００６９】
上記実施形態では、凹条６３Ｒａ、６３Ｌがそれぞれ１つのものを示したが、凹条６３Ｒａ、６３Ｌのそれぞれが、前後方向に複数の分かれているものであっても良い。
【００７０】
上記実施形態では、凹条６３Ｒａ、６３Ｌが、断面コ字状又は逆コ字状のものを示したが、テレスコピックレール６２Ｒ、６２Ｌが取り付けられる面が平面であれば、断面形状は、コ字状や逆コ字状に限定されるものではない。
【００７１】
上記実施形態では、取っ手部１５Ｒ、１５Ｌの長手方向が装置の前後方向に沿うように（平行になるように）、取っ手部１５Ｒ、１５Ｌを設けたものを示したが、取っ手部１５Ｒ、１５Ｌが、取り付け部材６３Ｒ、６３Ｌの凹条６３Ｒａ、６３Ｌの内部空間に入り込んでいる限りにおいては、装置の前後方向に対して取っ手部１５Ｒ、１５Ｌの長手方向が傾いて取っ手部１５Ｒ、１５Ｌが設けられていても良い。
【００７２】
上記実施形態では、凹条の外側にテレスコピックレール６２Ｒ、６２Ｌを取り付ける場合、取り付け部材６３Ｒ、６３Ｌを介して取り付けをしているが、テレスコピックレール６２Ｒ、６２Ｌを側板１６Ｒ、１６Ｌに直接取り付けても良い。この場合、側板１６Ｒ、１６Ｌには、取っ手部１５Ｒ、１５Ｌを設けることができるように、装置内部に向かって凸条の凹みを設ける。
【００７３】
上記実施形態では紙幣処理装置に本発明を適用したものを示したが、本発明の適用装置は、紙幣処理装置に限定されない。例えば、小切手、商品券などの他の紙葉類を結束整理する紙葉類処理装置に対しても、本発明を適用することができる。
【符号の説明】
【００７４】
１…投入部、２…鑑別部、３…搬送路、６…集積機構、７…操作部、９…移送機構、１０…紙幣結束機構、１３…操作表示部、１４…紙幣束放出扉、１５Ｒ…右取っ手部、１５Ｌ…左取っ手部、１６Ｒ…右側板、１６Ｌ…左側板、６０…ユニット、６１…筐体、６２Ｒ…右のテレスコピックレール、６２Ｌ…左のテレスコピックレール、６３Ｒ…右の取り付け部材、６３Ｒａ…取り付け部材６３Ｒの凹条、６３Ｌ…左の取り付け部材、６３Ｌａ…取り付け部材６３Ｌの凹条、１００…紙幣処理装置。
【図１】
0005857855.tif 000002
【図２】
0005857855.tif 000003
【図３】
0005857855.tif 000004
【図４】
0005857855.tif 000005
【図５】
0005857855.tif 000006
【図６】
0005857855.tif 000007
【図７】
0005857855.tif 000008
【図８】
0005857855.tif 000009
【図９】
0005857855.tif 000010
【図１０】
0005857855.tif 000011
【図１１】
0005857855.tif 000012